(57)【特許請求の範囲】
【請求項１】
直径の長さが０．０１ｍｍ乃至０．０５ｍｍの範囲内にある複数の網点が、複数種類の直径の長さをもって、ランダムに配置される潜像領域と、
直径の長さが０．１ｍｍ乃至０．３ｍｍの範囲内にある複数の網点が規則的に配置される背景領域と
を備えたことを特徴とするコピー牽制印刷物。
【請求項２】
請求項１に記載のコピー牽制印刷物において、
前記背景領域は、複数種類のマイクロ文字を更に含み、
前記各マイクロ文字は、周囲を囲む仮想的な最小の四角形の対角線の長さが０．１５ｍｍ乃至０．３５ｍｍの範囲内にあることを特徴とするコピー牽制印刷物。
【請求項３】
請求項１または請求項２に記載のコピー牽制印刷物において、
前記背景領域は、複数種類の直径の長さをもつ複数の網点を更に含むことを特徴とするコピー牽制印刷物。
【請求項４】
請求項１乃至請求項３のいずれか１項に記載のコピー牽制印刷物において、
前記潜像領域は、周囲を囲む仮想的な最小円の直径の長さが０．０１ｍｍ乃至０．０５ｍｍの範囲内にある複数種類の形状の網点を更に含むことを特徴とするコピー牽制印刷物。
【請求項５】
請求項１乃至請求項４のいずれか１項に記載のコピー牽制印刷物において、
前記背景領域は、周囲を囲む仮想的な最小円の直径の長さが０．１ｍｍ乃至０．３ｍｍの範囲内にある複数種類の形状の網点を更に含むことを特徴とするコピー牽制印刷物。
【請求項６】
請求項１乃至請求項５のいずれか１項に記載のコピー牽制印刷物において、
前記背景領域は、前記潜像領域との境界部分でのみ、前記規則的に代えて前記網点がランダムに配置されることを特徴とするコピー牽制印刷物。
【発明の詳細な説明】
【技術分野】
【０００１】
本発明は、コピー牽制印刷物に関する。
【背景技術】
【０００２】
近年、カラーコピー機の性能が向上するにしたがって、株券、債券、有価証券類及び各種証明書等を容易に偽造することができる。このため、複写後の印刷物には、特定の文字やパターン等を表示させるコピー牽制印刷物がある。
【０００３】
コピー牽制印刷物は、複写後の印刷物に再現されない大きさの網点と、複写後の印刷物に再現される大きさの網点とを組み合わせて構成される。なお、複写後の印刷物に再現されない大きさの網点からなる領域は潜像領域と称され、複写後の印刷物に再現される大きさの網点からなる領域は背景領域と称される。
【０００４】
しかしながら、潜像領域に含まれる網点と背景領域に含まれる網点との大きさが異なるため、潜像領域と背景領域との境界部分を視認することができ、複写後の印刷物に表示させる文字やパターン等も含めて偽造されるという不都合がある。
【０００５】
このため、地紋を設けることによって、潜像領域と背景領域との境界部分を視認しにくくするコピー牽制印刷物がある（例えば、特許文献１参照）。
【先行技術文献】
【特許文献】
【０００６】
【特許文献１】特開２００９−１５４３６４号公報
【発明の概要】
【発明が解決しようとする課題】
【０００７】
しかしながら、以上のようなコピー牽制印刷物では、潜像領域に含まれる網点と背景領域に含まれる網点とが規則的に配置されているため、潜像領域と背景領域との境界部分が視認しにくくとも視認可能であり、複写後の印刷物に表示させる文字やパターン等も含めて偽造されるという不都合がある。
【０００８】
本発明では、潜像領域と背景領域との境界部分がより視認しにくく、偽造が困難であるコピー牽制印刷物を提供することを目的とする。
【課題を解決するための手段】
【０００９】
第１の局面に対応する発明は、直径の長さが０．０１ｍｍ乃至０．０５ｍｍの範囲内にある複数の網点が、複数種類の直径の長さをもって、ランダムに配置される潜像領域と、直径の長さが０．１ｍｍ乃至０．３ｍｍの範囲内にある複数の網点が規則的に配置される背景領域とを備えたコピー牽制印刷物である。
【００１０】
第２の局面に対応する発明は、第１の局面に対応するコピー牽制印刷物において、前記背景領域は、複数種類のマイクロ文字を更に含み、前記各マイクロ文字は、周囲を囲む仮想的な最小の四角形の対角線の長さが０．１５ｍｍ乃至０．３５ｍｍの範囲内にあるコピー牽制印刷物である。
【００１１】
第３の局面に対応する発明は、第１または第２の局面に対応するコピー牽制印刷物において、前記背景領域は、複数種類の直径の長さをもつ複数の網点を更に含むコピー牽制印刷物である。
【００１２】
第４の局面に対応する発明は、第１乃至第３の局面のいずれかに対応するコピー牽制印刷物において、前記潜像領域は、周囲を囲む仮想的な最小円の直径の長さが０．０１ｍｍ乃至０．０５ｍｍの範囲内にある複数種類の形状の網点を更に含むコピー牽制印刷物である。
【００１３】
第５の局面に対応する発明は、第１乃至第４の局面のいずれかに対応するコピー牽制印刷物において、前記背景領域は、周囲を囲む仮想的な最小円の直径の長さが０．１ｍｍ乃至０．３ｍｍの範囲内にある複数種類の形状の網点を更に含むコピー牽制印刷物である。
【００１４】
第６の局面に対応する発明は、第１乃至第５の局面のいずれかに対応するコピー牽制印刷物において、前記背景領域は、前記潜像領域との境界部分でのみ、前記規則的に代えて前記網点がランダムに配置されるコピー牽制印刷物である。
【発明の効果】
【００１５】
本発明は、潜像領域と背景領域との境界部分がより視認しにくく、偽造が困難であるコピー牽制印刷物を提供することができる。
【図面の簡単な説明】
【００１６】
【図１】一実施形態に係るコピー牽制印刷物の一例を示す模式図である。
【図２】従来のコピー牽制印刷物と同実施形態に係るコピー牽制印刷物との比較例を示す模式図である。
【図３】図２に示す模式図の一部の領域を拡大したときの模式図である。
【図４】図２に示す模式図に対応したコピー牽制印刷物を、顕微鏡を用いて観察したときの図である。
【図５】同実施形態に係るコピー牽制印刷物の背景領域にマイクロ文字を用いたときの一例を示す模式図である。
【図６】同実施形態に係るコピー牽制印刷物の背景領域に用いられるマイクロ文字の一例を示す模式図である。
【図７】同実施形態に係るコピー牽制印刷物の潜像領域に用いられる網点の大きさに対する網点の個数の割合の一例を示す模式図である。
【発明を実施するための形態】
【００１７】
以下、図面を参照して本発明の実施の形態について詳細に説明する。
【００１８】
図１は、一実施形態に係るコピー牽制印刷物の一例を示す模式図である。
【００１９】
コピー牽制印刷物１は、複写時に再現されない大きさの高精細網点からなる潜像領域２と、複写時に再現される大きさの通常網点からなる背景領域３とを含む。
【００２０】
なお、高精細網点及び通常網点の大きさは、高精細網点及び通常網点の直径の長さによってそれぞれ規定される。
【００２１】
潜像領域２には、複数の高精細網点が、少なくとも２種類の大きさをもって、ランダムに配置されている。なお、高精細網点の直径の長さは、以下の表１に示すように、０．０１ｍｍ乃至０．０５ｍｍ程度、好ましくは０．０１５ｍｍ乃至０．０４ｍｍの範囲内にあるとする。また、高精細網点は、網点濃度が８％乃至２０％の範囲内になるように、０．００５ｍｍ乃至０．１ｍｍの範囲内にある網点間隔をもって、ランダムに配置されている。
【００２２】
なお、高精細網点は上記範囲内の網点間隔を有するが、局所的につながっている網点が部分的に含まれるものを妨げるものではない。
【表１】
0005957861.tif 000002
【００２３】
網点間隔は、１つの網点から当該網点と隣り合う網点までの間隔を示す。また、網点濃度は、網点による領域内の濃度を示す。
【００２４】
背景領域３には、複数の通常網点が、少なくとも１種類の大きさをもって、規則的に配置されている（すなわち、ＡＭ（Amplitude Modulation）スクリーン法を用いて配置されている）。なお、通常網点の直径の長さは、上記した表１に示すように、０．１ｍｍ乃至０．３ｍｍ程度、好ましくは０．１２ｍｍ乃至０．２５ｍｍの範囲内にあるとする。また、通常網点は、網点濃度が８％乃至２０％の範囲内になるように、０．１５ｍｍ乃至０．４ｍｍの範囲内にある網点間隔をもって、規則的に配置されている。
【００２５】
図２は、従来のコピー牽制印刷物と本実施形態に係るコピー牽制印刷物との比較例を示す模式図であり、図３は、図２に示す模式図の一部の領域を拡大したときの模式図であって、図４は、図２に示す模式図に対応したコピー牽制印刷物を、顕微鏡を用いて観察したときの図である。
【００２６】
始めに、図２（ａ）に示すコピー牽制印刷物について説明する。
【００２７】
図２（ａ）は、従来のコピー牽制印刷物の一例を示す模式図であり、同一の大きさの複数の高精細網点が規則的に配置された潜像領域２と、同一の大きさの複数の通常網点が規則的に配置された背景領域３とを含むコピー牽制印刷物１を示している。また、図３（ａ）は、図２（ａ）に示す領域４を拡大したときの模式図である。
【００２８】
この場合、潜像領域２には、図３（ａ）に示すように、同一の大きさの複数の高精細網点が規則的に配置されているため、潜像領域２の濃淡は一様である（すなわち、潜像領域２内の高精細網点による濃淡の差がない）。また、背景領域３には、図３（ａ）に示すように、同一の大きさの複数の通常網点が規則的に配置されているため、背景領域３の濃淡は一様である（すなわち、背景領域３内の通常網点による濃淡の差がない）。なお、高精細網点及び通常網点の大きさや網点間隔が異なるため、網点濃度を合わせても潜像領域２の濃淡と背景領域３の濃淡とは異なる。
【００２９】
このように、潜像領域２及び背景領域３は共に濃淡が一様であるため、潜像領域２と背景領域３との境界部分における濃淡の差が大きく、コピー前における潜像領域２と背景領域３との境界部分が視認しやすい。また、図２（ａ）に示すコピー牽制印刷物１は、網点の配置が規則的であるため、解析が容易であり、偽造される危険性がある。
【００３０】
次に、図２（ｂ）に示すコピー牽制印刷物について説明する。
【００３１】
図２（ｂ）は、図２（ａ）と同様に、従来のコピー牽制印刷物の一例を示す模式図であり、同一の大きさの複数の高精細網点がランダムに配置された潜像領域２と、同一の大きさの複数の通常網点が規則的に配置された背景領域３とを含むコピー牽制印刷物１を示している。また、図３（ｂ）は、図２（ｂ）に示す領域４を拡大したときの模式図である。
【００３２】
この場合、潜像領域２には、図３（ｂ）に示すように、同一の大きさの複数の高精細網点がランダムに配置されているため、潜像領域２の濃淡は一様でなく、多少のばらつきがある（すなわち、潜像領域２内の高精細網点による濃淡の差がある）。一方、背景領域３には、図３（ｂ）に示すように、同一の大きさの複数の通常網点が規則的に配置されているため、背景領域３の濃淡は一様である。
【００３３】
このように、潜像領域２の濃淡は一様でなく、多少のばらつきがあるため、比較的潜像領域２と背景領域３との境界部分における濃淡の差を抑えることができ、コピー前における潜像領域２と背景領域３との境界部分が、図２（ａ）に示すコピー牽制用紙１よりも視認しにくくなる。
【００３４】
しかしながら、コピー前における潜像領域２と背景領域３との境界部分の視認しにくさは充分であるとはいえない。また、潜像領域２において、同一の大きさの複数の高精細網点をランダムに配置する手法は、ＦＭ（Frequency Modulation）スクリーン法として周知であるため、図２（ｂ）に示すコピー牽制印刷物１は解析され、偽造される危険性がある。
【００３５】
最後に、図２（ｃ）に示すコピー牽制印刷物について説明する。
【００３６】
図２（ｃ）は、本実施形態に係るコピー牽制印刷物の一例を示す模式図であり、複数種類の大きさの複数の高精細網点がランダムに配置された潜像領域２と、同一の大きさの複数の通常網点が規則的に配置された背景領域３とを含むコピー牽制印刷物１を示している。また、図３（ｃ）は、図２（ｃ）に示す領域４を拡大したときの模式図である。
【００３７】
この場合、潜像領域２には、図３（ｃ）に示すように、複数種類の大きさの複数の高精細網点がランダムに配置されているため、潜像領域２の濃淡は一様でなく、ばらつきがある。一方、背景領域３には、図３（ｃ）に示すように、同一の大きさの複数の通常網点が規則的に配置されているため、背景領域３の濃淡は一様である。
【００３８】
このように、潜像領域２の濃淡は一様でなく、ばらつきがあるため、潜像領域２と背景領域３との境界部分における濃淡の差を抑えることができ、コピー前における潜像領域２と背景領域３との境界部分が、図２（ａ）に示すコピー牽制用紙１よりも視認しにくくなる。また、潜像領域２は、網点の大きさ、配置がランダムであるため、濃淡のばらつきが大きく、コピー前における潜像領域２と背景領域３との境界部分をより視認しにくくすることができ、図２（ｂ）に示すコピー牽制用紙１よりも視認しにくくなる。
【００３９】
更に、潜像領域２には、複数種類の大きさの複数の高精細網点をランダムに配置するため、図２（ｂ）に示すＦＭスクリーン法を用いたコピー牽制印刷物とは異なり、図２（ｃ）に示すコピー牽制印刷物１は偽造が困難である。
【００４０】
なお、本実施形態では、コピー牽制印刷物１の潜像領域２の、複数の大きさの高精細網点として、大きさの異なる２種類の網点を用いてもよいが、濃淡のばらつきを大きくするためには大きさの異なる多種類の網点を用いることが好ましい。多種類の網点を用いる場合、例えば図７に示すように網点の大きさに対する網点の個数の割合をグラフにした場合、正規分布（図７ａ）や左右非対称の裾引き型分布（図７ｂ）、又は網点の大きさが大きくなるにつれて割合が減少するような分布（図７ｃ）、となるように網点を用いることができる。好ましくは、割合のピークが、網点の大きさが０．０１ｍｍより大きく、０．０３ｍｍ未満となる範囲内にある非対称の裾引き型分布や網点の大きさが大きくなるにつれて割合が減少するような分布である網点を用いることが好ましい。潜像領域２においては、サイズが大きい網点が増えると大きいサイズの網点の影響が支配的になり、小さいサイズの網点による濃淡ばらつきへの寄与が小さくなり、結果全体の網点の濃淡のばらつきも充分に得られない場合がある。そのため、比較的サイズの小さい網点の割合を増やした方が好ましい。
【００４１】
なお、本実施形態では、コピー牽制印刷物１の背景領域３には、同一の大きさの複数の通常網点が規則的に配置されるとしたが、これに限定されず、例えば、図５に示すように、背景領域３には、同一の大きさの複数の通常網点が配置されるだけでなく、複数種類のマイクロ文字が通常網点と交互に配置されるとしてもよい。
【００４２】
このマイクロ文字の大きさは、図６に示すように、マイクロ文字の周囲を囲む仮想的な最小の四角形の対角線５の長さにより規定される。また、対角線５の長さは、上記した表１に示すように、０．１５ｍｍ乃至０．３５ｍｍの範囲内にあるとする。
【００４３】
このように、背景領域３内に通常網点だけでなく、複数種類のマイクロ文字を配置することにより、潜像領域２の濃淡が一様でないだけでなく、背景領域３の濃淡も一様でなくなるため、潜像領域２と背景領域３との境界部分がより視認しにくくなる。
【００４４】
背景領域３の網点のうち、１０％以上１００％未満の範囲内の網点をマイクロ文字にすることができる。潜像領域２と背景領域３との境界部分をより視認しにくくする観点から、４０％以上６０％以下の範囲内の網点をマイクロ文字にすることが好ましい。また、全てマイクロ文字にすることもできる。
【００４５】
また、本実施形態では、コピー牽制印刷物１の背景領域３には、同一の大きさの複数の通常網点が規則的に配置されるとしたが、これに限定されず、例えば、複数種類の大きさの通常網点が配置されるとしてもよい。
【００４６】
また、本実施形態では、コピー牽制印刷物１の背景領域３には、同一の大きさの複数の通常網点が規則的に配置されるとしたが、これに限定されず、例えば、潜像領域２との境界部分でのみ、規則的に代えて、同一の大きさの通常網点がランダムに配置されるとしてもよい。
【００４７】
また、潜像領域２と背景領域３の境界部分において、潜像領域２に用いる網点を背景領域３に紛れ込ませたり、背景領域３に用いる網点を潜像領域２に紛れ込ませたりしてもよい。このように入れ子にすることで境界部分をよりぼやかすことができる。
【００４８】
更に、本実施形態では、高精細網点及び通常網点の形状が円形であるとしたが、これに限定されず、例えば、多角形や円形の一部が欠けた形等であってもよい。なお、多角形や円形の一部が欠けた形の大きさは、周囲を囲む仮想的な最小円の直径の長さにより規定される。
【００４９】
以上説明した一実施形態によれば、複数種類の大きさの複数の高精細網点がランダムに配置される潜像領域２と、通常網点が配置される背景領域３とを備えた構成により、潜像領域２と背景領域３との境界部分がより視認しにくく、偽造が困難であるコピー牽制印刷物を提供することができる。
【００５０】
また、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【００５１】
また、さらに、模様や文字列等からなる地紋を設けてもよい。
【実施例】
【００５２】
上質紙に図１のように「コピー」という文字からなる潜像領域と背景領域を、オフセット印刷法により形成し印刷物を得た。
【００５３】
潜像領域と背景領域に用いた網点は表２のようにし実施例、比較例の印刷物とした。
【表２】
0005957861.tif 000003
【００５４】
得られた印刷物を目視で以下のように評価した。
【００５５】
＜コピー前＞
×・・・「コピー」の文字が容易に確認できる。
【００５６】
△・・・「コピー」の文字が確認できる。
【００５７】
○・・・「コピー」の文字が確認しにくい。
【００５８】
◎・・・「コピー」の文字が確認できない。
【００５９】
＜コピー後＞
◎・・・「コピー」の文字がはっきり認識できる。
【００６０】
○・・・「コピー」の文字が認識できる。
【００６１】
△・・・よく見ると「コピー」の文字が認識できる。
【００６２】
×・・・「コピー」の文字が認識できない。
【表３】
0005957861.tif 000004
【００６３】
実施例の印刷物はいずれも目視において、コピー前は「コピー」の文字を確認できないが、コピー後は「コピー」の文字の認識できるものとなった。
【００６４】
それに対し、比較例は、コピー後は「コピー」の文字の認識できるものの、コピー前においても、「コピー」の文字を確認できるものとなり、潜像としての機能が充分でないものとなった。
【符号の説明】
【００６５】
１…コピー牽制印刷物、２…潜像領域、３…背景領域、４…領域、５…対角線。
【図１】
0005957861.tif 000005
【図２】
0005957861.tif 000006
【図４】
0005957861.tif 000007
【図５】
0005957861.tif 000008
【図６】
0005957861.tif 000009
【図７】
0005957861.tif 000010
【図３】
0005957861.tif 000011